【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
印刷ジョブに含まれる画像データに基づいて印刷処理を実行する印刷手段と、
前記印刷手段により実行されている印刷処理を中止させるための中止要求を受け付ける受付手段と、
前記印刷手段により複数部数の印刷処理が実行されている間に前記受付手段により前記中止要求が受け付けられた場合に、前記受付手段により前記中止要求が受け付けられたことに応答するタイミングで前記印刷処理を中止させる第１の中止方法、若しくは、前記受付手段により前記中止要求が受け付けられた際に印刷処理が実行されていた部についての印刷処理が終了したタイミングで前記印刷処理を中止させる第２の中止方法のいずれかを前記印刷処理を中止させる中止方法として選択する選択手段と、
前記印刷手段により複数部数の印刷処理が実行されている間に前記受付手段により前記中止要求が受け付けられた場合、前記選択手段により選択された前記中止方法で前記印刷処理を中止させるよう制御する制御手段と
を備えることを特徴とする印刷装置。
【請求項２】
前記制御手段は、前記印刷手段により単一部数の印刷処理が実行されている間に前記受付手段により前記中止要求が受け付けられた場合、前記第１の中止方法で前記印刷処理を中止させるよう制御することを特徴とする請求項１に記載の印刷装置。
【請求項３】
前記印刷装置は、前記第２の中止方法で中止された印刷処理を再開させるための指示を入力する入力手段を更に備え、
前記制御手段は、前記第２の中止方法で前記印刷処理を中止させるよう制御した後、前記入力手段により入力された前記指示に応じて、前記印刷処理を再開させ、所定部数の印刷処理を実行させるよう制御することを特徴とする請求項１又は２に記載の印刷装置。
【請求項４】
前記印刷装置は、前記所定部数を指定する指定手段を更に備えることを特徴とする請求項３に記載の印刷装置。
【請求項５】
前記印刷装置は、前記印刷手段により印刷処理が実行される部数を表示する表示手段を更に備え、
前記制御手段により前記第２の中止方法で前記印刷処理を中止させるよう制御される場合、前記印刷処理が開始されてから前記印刷処理が前記第２の中止方法で中止されるまでに前記表示手段により印刷処理が実行される部数を表示することを特徴とする請求項１乃至４の何れか１項に記載の印刷装置。
【請求項６】
前記第１の中止方法は、前記受付手段により前記中止要求が受け付けられた際に印刷処理が実行されていたページについての印刷処理が終了したタイミングで、前記印刷処理を中止させる中止方法であることを特徴とする請求項１乃至５の何れか１項に記載の印刷装置。
【請求項７】
印刷装置において実行される印刷方法であって、
印刷ジョブに含まれる画像データに基づいて印刷処理を実行する印刷工程と、
前記印刷工程において実行されている印刷処理を中止させるための中止要求を受け付ける受付工程と、
前記印刷工程において複数部数の印刷処理が実行されている間に前記受付工程において前記中止要求が受け付けられた場合に、前記受付工程において前記中止要求が受け付けられたことに応答するタイミングで前記印刷処理を中止させる第１の中止方法、若しくは、前記受付工程において前記中止要求が受け付けられた際に印刷処理が実行されていた部についての印刷処理が終了したタイミングで前記印刷処理を中止させる第２の中止方法のいずれかを前記印刷処理を中止させる中止方法として選択する選択工程と、
前記印刷工程において複数部数の印刷処理が実行されている間に前記受付工程において前記中止要求が受け付けられた場合、前記選択工程において選択された前記中止方法で前記印刷処理を中止させるよう制御する制御工程と
を備えることを特徴とする印刷方法。
【請求項８】
印刷ジョブに含まれる画像データに基づいて印刷処理を実行する印刷手段と、
前記印刷手段により実行されている印刷処理を中止させるための中止要求を受け付ける受付手段と、
前記印刷手段により複数部数の印刷処理が実行されている間に前記受付手段により前記中止要求が受け付けられた場合に、前記受付手段により前記中止要求が受け付けられたことに応答するタイミングで前記印刷処理を中止させる第１の中止方法、若しくは、前記受付手段により前記中止要求が受け付けられた際に印刷処理が実行されていた部についての印刷処理が終了したタイミングで前記印刷処理を中止させる第２の中止方法のいずれかを前記印刷処理を中止させる中止方法として選択する選択手段と、
前記印刷手段により複数部数の印刷処理が実行されている間に前記受付手段により前記中止要求が受け付けられた場合、前記選択手段により選択された前記中止方法で前記印刷処理を中止させるよう制御する制御手段と有する
印刷装置としてコンピュータを機能させることを特徴とする印刷プログラム。
【手続補正２】
【補正対象書類名】明細書
【補正対象項目名】発明の名称
【補正方法】変更
【補正の内容】
【発明の名称】印刷装置、印刷方法、及び、印刷プログラム
【手続補正３】
【補正対象書類名】明細書
【補正対象項目名】００１１
【補正方法】変更
【補正の内容】
【００１１】
本発明の実施形態に係る発明は、印刷ジョブに含まれる画像データに基づいて印刷処理を実行する印刷手段と、前記印刷手段により実行されている印刷処理を中止させるための中止要求を受け付ける受付手段と、前記印刷手段により複数部数の印刷処理が実行されている間に前記受付手段により前記中止要求が受け付けられた場合に、前記受付手段により前記中止要求が受け付けられたことに応答するタイミングで前記印刷処理を中止させる第１の中止方法、若しくは、前記受付手段により前記中止要求が受け付けられた際に印刷処理が実行されていた部についての印刷処理が終了したタイミングで前記印刷処理を中止させる第２の中止方法のいずれかを前記印刷処理を中止させる中止方法として選択する選択手段と、前記印刷手段により複数部数の印刷処理が実行されている間に前記受付手段により前記中止要求が受け付けられた場合、前記選択手段により選択された前記中止方法で前記印刷処理を中止させるよう制御する制御手段とを備える印刷装置を提供する。
【手続補正４】
【補正対象書類名】明細書
【補正対象項目名】００１２
【補正方法】変更
【補正の内容】
【００１２】
本発明の実施形態に係る発明は、印刷装置において実行される印刷方法であって、印刷ジョブに含まれる画像データに基づいて印刷処理を実行する印刷工程と、前記印刷工程において実行されている印刷処理を中止させるための中止要求を受け付ける受付工程と、前記印刷工程において複数部数の印刷処理が実行されている間に前記受付工程において前記中止要求が受け付けられた場合に、前記受付工程において前記中止要求が受け付けられたことに応答するタイミングで前記印刷処理を中止させる第１の中止方法、若しくは、前記受付工程において前記中止要求が受け付けられた際に印刷処理が実行されていた部についての印刷処理が終了したタイミングで前記印刷処理を中止させる第２の中止方法のいずれかを前記印刷処理を中止させる中止方法として選択する選択工程と、前記印刷工程において複数部数の印刷処理が実行されている間に前記受付工程において前記中止要求が受け付けられた場合、前記選択工程において選択された前記中止方法で前記印刷処理を中止させるよう制御する制御工程とを備えることを特徴とする印刷方法を提供する。
【手続補正５】
【補正対象書類名】明細書
【補正対象項目名】００１３
【補正方法】変更
【補正の内容】
【００１３】
本発明の実施形態に係る発明は、印刷ジョブに含まれる画像データに基づいて印刷処理を実行する印刷手段と、前記印刷手段により実行されている印刷処理を中止させるための中止要求を受け付ける受付手段と、前記印刷手段により複数部数の印刷処理が実行されている間に前記受付手段により前記中止要求が受け付けられた場合に、前記受付手段により前記中止要求が受け付けられたことに応答するタイミングで前記印刷処理を中止させる第１の中止方法、若しくは、前記受付手段により前記中止要求が受け付けられた際に印刷処理が実行されていた部についての印刷処理が終了したタイミングで前記印刷処理を中止させる第２の中止方法のいずれかを前記印刷処理を中止させる中止方法として選択する選択手段と、前記印刷手段により複数部数の印刷処理が実行されている間に前記受付手段により前記中止要求が受け付けられた場合、前記選択手段により選択された前記中止方法で前記印刷処理を中止させるよう制御する制御手段とを有する印刷装置としてコンピュータを機能させることを特徴とする印刷プログラムを提供する。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】